(57)【要約】【課題】空間内を加湿するために容器内に貯留された貯留水を、活性種を含む気体のバブリングによって浄化するように構成された調湿装置において、該容器を本体に対してスライド移動させる際に、上記活性種を含む気体の搬送路を構成する部材が上記容器のスライド移動を妨げないような構成を得る。【解決手段】搬送路（55）を、容器（41）外に位置する容器外通路（55a）と、該容器（41）内に位置する容器内通路（55b）とに分離可能に構成する。そして、これらの通路（55a,55b）を、上記容器（41）がスライド移動によって上記ケーシング（11）内の取付位置に位置付けられたときに互いに接続されるように構成する。【選択図】図５
2009216331.tif 000002
【特許請求の範囲】
【請求項１】
ケーシング（11）内部に収納された容器（41）と、該容器（41）内に貯留された貯留水によって空間内を加湿する加湿機構（40）とを備えた調湿装置であって、
活性種を発生させる活性種発生手段（51）と、
上記活性種発生手段（51）で発生した活性種を含む気体を上記容器（41）内の貯留水の水中まで搬送する搬送路（55）とを備え、
上記容器（41）は、上記ケーシング（11）外へスライド移動可能に構成されていて、
上記搬送路（55）は、上記容器（41）外に位置する容器外通路（55a）と、該容器（41）内に位置する容器内通路（55b）とに分離可能に構成されており、これらの通路（55a,55b）は、上記容器（41）がスライド移動によって上記ケーシング（11）内の取付位置に位置付けられたときに互いに接続されるように構成されていることを特徴とする調湿装置。
【請求項２】
請求項１において、
上記容器外通路（55a）及び容器内通路（55b）は、それぞれ、接続部分が上記容器（41）のスライド方向と交差する方向に開口するように設けられていることを特徴とする調湿装置。
【請求項３】
請求項１において、
上記容器外通路（55a）及び容器内通路（55b）は、それぞれ、接続部分が上記容器（41）のスライド方向に開口するように設けられていることを特徴とする調湿装置。
【請求項４】
請求項１から３のいずれか一つにおいて、
上記容器外通路（55a）及び容器内通路（55b）は、それぞれ、管部材（71,72）によって構成されていることを特徴とする調湿装置。
【請求項５】
請求項４において、
上記容器外通路（55a）または容器内通路（55b）のうちいずれか一方の通路（55b）を構成する管部材（72）の接続部分（72a）は、他方の通路（55a）を構成する管部材（71）の接続部分（71a）に対して外嵌合可能に構成されていることを特徴とする調湿装置。
【請求項６】
請求項１から５のいずれか一つにおいて、
上記容器外通路（55a）及び容器内通路（55b）のうち少なくとも一方の通路（55a）の接続部分は、弾性部材によって形成されていることを特徴とする調湿装置。
【請求項７】
請求項１から３のいずれか一つにおいて、
上記容器内通路は、上記容器外通路側とは反対側の端部が上記容器（91）内方に向かって開口するように該容器（91）に形成された穴部（91b）により構成されていることを特徴とする調湿装置。
【発明の詳細な説明】
【技術分野】
【０００１】
本発明は、ケーシング内部に収納された容器と該容器内に貯留された貯留水によって空間内を加湿する加湿機構とを備えた調湿装置に関し、該貯留水の浄化処理の技術分野に属するものである。
【背景技術】
【０００２】
従来より、空間内を加湿する加湿機構を備えた調湿装置として、容器内に貯留された貯留水を気化させて空間内に供給するものが一般的に知られている。このような調湿装置では、貯留水を容器内に長時間、溜めておくと、該貯留水にカビや細菌などが繁殖して汚染される可能性があるため、例えば特許文献１に開示されるように、貯水部に貯められている水を光触媒等で浄化するようにしている。
【０００３】
水を浄化する方法としては、上述のような光触媒を用いる方法以外にも、例えば特許文献２に開示されるように、オゾンなどの活性種を生成し、この活性種により水の浄化を行う方法が知られている。
【０００４】
具体的には、上記特許文献２に開示されている構成では、容器内に貯留された水に対して、オゾンナイザーによって生成されたオゾンガスをバブリングすることで、容器内の水の浄化を行うようにしている。
【特許文献１】特開２０００−２８３５１２号公報
【特許文献２】特開平６−３２３５６６号公報
【発明の開示】
【発明が解決しようとする課題】
【０００５】
ところで、一般的に、加湿のための水分を必要とする加湿装置では、水の貯留された容器が、該容器内への水の補給や清掃等を行えるように取り外し可能に構成されている。しかも、上記容器は、装置のケーシング内部に収納されるため、該ケーシングに対してスライド移動可能に構成されている場合が多い。
【０００６】
このような構成の加湿装置に対して、上記後者の従来例のように、容器内の貯留水に活性種を含むガスをバブリングしようとすると、該ガスの流通する搬送路を容器内の貯留水の水中まで延ばす必要があるが、上記容器をスライド移動させる際に、上記搬送路を構成する部材が干渉してスライド移動を阻害する虞がある。
【０００７】
本発明は、斯かる点に鑑みてなされたものであり、その目的とするところは、空間内を加湿するために容器内に貯留された貯留水を、活性種を含む気体のバブリングによって浄化するように構成された調湿装置において、該容器を本体に対してスライド移動させる際に、上記活性種を含む気体の搬送路を構成する部材が上記容器のスライド移動を妨げないような構成を得ることにある。
【課題を解決するための手段】
【０００８】
上記目的を達成するために、本発明に係る調湿装置（10）では、活性種を含む気体が流れる搬送路（55）を、貯留水の溜められる容器（41）の外側に位置する容器外通路（55a）と、該容器（41）の内側に位置する容器内通路（55b）とに分離可能に構成し、上記容器（41）がケーシング（11）内に収容された状態では、上記両通路（55a,55b）が接続されるようにした。
【０００９】
具体的には、第１の発明は、ケーシング（11）内部に収納された容器（41）と、該容器（41）内に貯留された貯留水によって空間内を加湿する加湿機構（40）とを備えた調湿装置を対象とする。
【００１０】
そして、活性種を発生させる活性種発生手段（51）と、上記活性種発生手段（51）で発生した活性種を含む気体を上記容器（41）内の貯留水の水中まで搬送する搬送路（55）とを備え、上記容器（41）は、上記ケーシング（11）外へスライド移動可能に構成されていて、上記搬送路（55）は、上記容器（41）外に位置する容器外通路（55a）と、該容器（41）内に位置する容器内通路（55b）とに分離可能に構成されており、これらの通路（55a,55b）は、上記容器（41）がスライド移動によって上記ケーシング（11）内の取付位置に位置付けられたときに互いに接続されるように構成されているものとする。
【００１１】
この構成により、活性種を含む気体を容器（41）内の貯留水の水中まで搬送するための搬送路（55）が、容器（41）の内外で分離されるため、該容器（41）をケーシング（11）に対してスライド移動させた場合でも、上記搬送路（55）を構成する部材が該容器（41）のスライド移動を阻害するのを防止できる。
【００１２】
また、上記容器（41）をケーシング（11）内の取付位置に位置付けた場合に、上記搬送路（55）を構成する容器外通路（55a）と容器内通路（55b）とが接続されるため、該搬送路（55）を２つの通路（55a,55b）に分離しても、容器（41）をケーシング（11）内の取付位置に位置付ければ、活性種を含む気体を搬送するための搬送路（55）を確実に構成することができ、該搬送路（55）を介して活性種を含む気体を上記容器（41）内の貯留水に確実に供給することができる。
【００１３】
上述の構成において、上記容器外通路（55a）及び容器内通路（55b）は、それぞれ、接続部分が上記容器（41）のスライド方向と交差する方向に開口するように設けられていてもよい（第２の発明）し、上記容器外通路（55a）及び容器内通路（55b）は、それぞれ、接続部分が上記容器（41）のスライド方向に開口するように設けられていてもよい（第３の発明）。これらの構成により、容器（41）の内外で搬送路（55）を分離した場合でも、分離した通路（55a,55b）同士を接続させて搬送路（55）を構成することが可能となる。特に、後者のような構成にすることで、容器（41）のスライド移動に伴って該容器（41）内の容器内通路（55b）を上記容器外通路（55a）に対して接続・分離することできる。よって、上記後者の構成であれば、上記容器（41）のスライド位置によって両通路（55a,55b）の接続部がずれるのを防止でき、両通路（55a,55b）を確実に接続することができる。
【００１４】
また、上記容器外通路（55a）及び容器内通路（55b）は、それぞれ、管部材（71,72）によって構成されているのが好ましい（第４の発明）。これにより、活性種を含む気体を容器（41）内の貯留水まで搬送するための搬送路（55）を容易に構成することができる。
【００１５】
また、上記容器外通路（55a）または容器内通路（55b）のうちいずれか一方の通路（55b）を構成する管部材（72）の接続部分（72a）は、他方の通路（55a）を構成する管部材（71）の接続部分（71a）に対して外嵌合可能に構成されているのが好ましい（第５の発明）。こうすることで、容器外通路（55a）及び容器内通路（55b）の接続部分では、一方の通路（55b）を構成する管部材（72）の接続部分（72a）が他方の通路（55a）を構成する管部材（71）の接続部分（71a）に対して外嵌合するため、それらの接続部分（71a,72a）を互いに確実に接続することができる。
【００１６】
また、上記容器外通路（55a）及び容器内通路（55b）の少なくとも一方の通路（55a）の接続部分は、弾性部材によって形成されていてもよい（第６の発明）。これにより、容器（41）をケーシング（11）に対してスライド移動させて取付位置に位置付ける場合、少なくとも一方の通路の接続部分（71a）を形成する弾性部材が容易に変形して、容器外通路（55a）と容器内通路（55b）との接続を容易にする。また、上述の構成にすることで、上記容器外通路（55a）や容器内通路（55b）の接続部分を構成する部分が、容器（41）のスライド移動に伴って他の部材等に接触した場合でも、容易に変形するため、この接続部分が該容器（41）のスライド移動を妨げるのを防止できる。
【００１７】
さらに、上記容器内通路を管部材によって構成するのではなく、上記容器外通路側とは反対側の端部が上記容器（91）内方に向かって開口するように該容器（91）に形成された穴部（91b）により構成してもよい（第７の発明）。
【００１８】
こうすることで、容器（41）内に管部材等を別途、設ける必要がなくなるため、部品点数の削減を図れるとともに、管部材等の取付作業が必要なくなり、製造コストの低減を図れる。よって、上記容器（41）内に容器内通路を低コストで容易に形成することができる。
【発明の効果】
【００１９】
上記第１の発明によれば、容器（41）内の貯留水に活性種を含む気体を供給するための搬送路（55）を、該容器（41）の外側に位置する容器外通路（55a）と、該容器（41）の内側に位置する容器内通路（55b）とに分割可能に構成し、ケーシング（11）に対してスライド移動可能に構成された上記容器（41）が取付位置に位置付けられたときに、上記両通路（55a,55b）が接続されるようにしたため、容器（41）内の貯留水に対して活性種をバブリングする構成において、搬送路（55）を構成する部材によって妨げられることなく、上記容器（41）をケーシング（11）に対してスムーズにスライド移動させることが可能となる。
【００２０】
また、第２及び第３の発明によれば、上記容器外通路（55a）及び容器内通路（55b）のそれぞれの接続部分は、容器（41）のスライド方向と交差する方向または該スライド方向に開口しているため、上記容器（41）のスライド移動によって上記両通路（55a,55b）を接続することができる。特に、上記第３の発明のように上記容器（41）のスライド方向に開口させることで、通路（55a,55b）同士を確実に接続することができる。
【００２１】
また、第４の発明によれば、上記容器外通路（55a）及び容器内通路（55b）は管部材（71,72）によって構成されているため、搬送路（55）を確実且つ容易に形成することができる。
【００２２】
また、第５の発明によれば、上記容器外通路（55a）及び容器内通路（55a）のうち少なくとも一方の通路を構成する管部材（72）の接続部分（72a）は、他方の通路を構成する管部材（71）の接続部分（71a）に対して外嵌合可能に構成されているため、両通路（55a,55b）を確実に接続することができる。
【００２３】
また、第６の発明によれば、上記容器外通路（55a）及び容器内通路（55b）のうち少なくとも一方の通路の接続部分は、弾性部材によって形成されているため、該両通路（55a,55b）の接続が容易になるとともに、該両通路（55a,55b）の接続部分が容器（41）のスライド移動を阻害するのを確実に防止することができる。
【００２４】
さらに、第７の発明によれば、上記容器内通路は、容器外通路側とは反対側の端部が容器（91）内方に向かって開口するように該容器（91）に形成された穴部（91b）により構成されるため、容器（91）内に通路を低コストで容易に形成することができる。
【発明を実施するための最良の形態】
【００２５】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２６】
本発明の実施形態に係る調湿装置（10）は、空気を加湿する加湿運転が可能に構成されている。また、上記調湿装置（10）は、空気を浄化するための種々の空気浄化手段を有している。
【００２７】
〈調湿装置の全体構成〉
図１及び図２に示すように、調湿装置（10）は、樹脂製のケーシング（11）内に加湿運転や空気浄化を行うための各種構成機器が収納されたものである。このケーシング（11）は、幅方向寸法が前後方向の寸法よりも大きく、且つ高さ寸法が該幅方向や前後方向の寸法よりも大きい直方体状に形成されている。上記ケーシング（11）には、その前面及び側面の少なくとも一方に、空気を該ケーシング（11）内に導入するための吸込口（12）が形成されている。また、上記ケーシング（11）には、その上部後方寄りの部位にケーシング（11）内の空気を空間内へ吹き出すための吹出口（13）が形成されている。そして、上記ケーシング（11）の内部には、上記吸込口（12）から吹出口（13）に向かって空気が流れる空気通路（14）が形成されている。なお、上記図１に示す調湿装置（10）では、上記ケーシング（11）の前面は、前面パネル（11a）によって覆われている。
【００２８】
図２に示すように、上記空気通路（14）内には、空気の流れの上流側から下流側に向かって順に、空気浄化手段（20）、加湿ユニット（40）（加湿機構）及び遠心ファン（15）が配設されている。また、上記調湿装置（10）は、後述する水タンク（41）（容器）内にオゾンを供給するオゾン供給ユニット（50）も備えている。
【００２９】
〈空気浄化手段の構成〉
上記図２に示すように、上記空気浄化手段（20）は、空気通路（14）内を流れる空気を浄化するためのものであり、空気の流れの上流側から下流側に向かって順に、プレフィルタ（21）、イオン化部（22）、プリーツフィルタ（23）を有している。
【００３０】
上記プレフィルタ（21）は、空気中に含まれる比較的大きな塵埃を物理的に捕捉する集塵用のフィルタを構成している。
【００３１】
上記イオン化部（22）は、空気中の塵埃を帯電させる塵埃荷電手段を構成している。このイオン化部（22）には、例えば線状の電極と、この線状の電極に対向する板状の電極とが設けられている。上記イオン化部（22）では、両電極に電源から電圧が印加されることで、両電極の間でコロナ放電が行われる。このコロナ放電により、空気中の塵埃が所定の電荷（正又は負の電荷）に帯電される。
【００３２】
上記プリーツフィルタ（23）は、波板状の静電フィルタを構成している。つまり、プリーツフィルタ（23）では、上記イオン化部（22）で帯電された塵埃が電気的に誘引されて捕捉される。なお、上記プリーツフィルタ（23）に光触媒等の脱臭用の材料を担持させても良い。
【００３３】
〈加湿ユニットの構成〉
次に、上記加湿ユニット（40）の構成について、上記図２に基づいて以下で説明する。この図２に示すように、加湿ユニット（40）は、水（貯留水、加湿水）を貯留するための水タンク（41）と、該水タンク（41）内の水を汲み上げるための水車（42）と、該水車（42）によって汲み上げられた水を空気中へ付与するための加湿手段を構成する加湿ロータ（43）と、該加湿ロータ（43）を回転駆動するための駆動モータ（44）とを備えている。また、上記加湿ユニット（40）は、加湿ロータ（43）を加熱するためのヒータ（48）も備えている。
【００３４】
上記水タンク（41）は、図１などにも示すように、上側が開口する横長の箱部材（45）と該箱部材（45）の上側を覆う蓋部材（46）とによって構成されている。この水タンク（41）は、ケーシング（11）の下部の空間内に、該水タンク（41）の長手方向がケーシング（11）の幅方向になるように設置され、該ケーシング（11）の側面に形成された引出口（11b）に対して出し入れ可能（スライド可能）に構成されている（図１を参照）。これにより、上記水タンク（41）をケーシング（11）から引き出した状態で、該水タンク（41）内に加湿用の水を適宜補充することができる。
【００３５】
上記水車（42）は、略円板状に形成され、その軸心部に両面から厚み方向外方に突出するように回転軸（42a）が設けられている。この回転軸（42a）は、上記水タンク（41）の底面に立設された軸受部（図示省略）の上端に枢支されており、これにより、水車（42）は水タンク（41）内に回転自在に支持されている。また、上記水車（42）は、その下端部を含む所定部位が水タンク（41）内の水中に浸積される高さ位置になるように、上記軸受部に支持されている。
【００３６】
上記水車（42）には、ケーシング後方側に位置する側面（上記加湿ロータ（43）に面する側面）に複数の凹部（42b）が形成されている。これらの凹部（42b）は、加湿水を上記加湿ロータ（43）側へ汲み上げるための加湿用凹部を構成している。上記凹部（42b）は、上記水車（42）の径方向外側端部において周方向に等間隔になるように形成されている。また、上記凹部（42b）は、水車（42）の回転動作によって、水タンク（41）の水中に浸積する位置、または、水中から引き出される位置に位置付けられて、該水中に浸漬する位置で凹部（42b）内に浸入した水を、水面上まで汲み上げることが可能となる。
【００３７】
また、上記水車（42）の後側の側面上には、該水車（42）と同軸状に中間歯車（42d）が配設されていて、該中間歯車（42d）の外周面上には歯部（42c）が一体的に形成されている。この中間歯車（42d）の歯部（42c）は、後述する加湿ロータ（43）の従動歯車（43a）と噛み合うように構成されている。
【００３８】
上記加湿ロータ（43）は、環状の従動歯車（43a）と、この従動歯車（43a）に内嵌して保持される円板状の吸着部材（43b）とを有している。この吸着部材（43b）は、吸水性を有する不織布によって構成されている。上記加湿ロータ（43）は、上記水タンク（41）の満水時の水位よりも高い位置において、回転軸を介して回転自在に保持されている。また、上記加湿ロータ（43）は、その下端を含む所定部位が上記水車（42）と実質的に接触するように配置されている。つまり、上記加湿ロータ（43）は、水車（42）の凹部（42b）と軸方向（前後方向）に重なる部位を有している。これにより、上記加湿ロータ（43）の吸着部材（43b）には、水車の凹部（42b）によって汲み上げられた水が吸収される。
【００３９】
上記駆動モータ（44）は、ピニオン等を介して加湿ロータ（43）の従動歯車（43a）を回転駆動するように構成されている。そして、駆動モータ（44）によって従動歯車（43a）が回転すると、該従動歯車（43a）と歯合する水車（42）が回転する。これにより、上記駆動モータ（44）によって、加湿ロータ（43）及び水車（42）を回転させることができる。
【００４０】
上記ヒータ（48）は、加湿ロータ（43）の上流側の側面の上端部に近接するように配置されている。このヒータ（48）を設けることによって、上記加湿ロータ（43）に流入する空気を加熱することができ、その熱によって該加湿ロータ（43）の水を気化させて空気を加湿することができる。
【００４１】
〈オゾン供給ユニットの構成〉
上記オゾン供給ユニット（50）は、加湿ロータ（43）に供給される水タンク（41）内の水（貯留水、加湿水）にオゾンガス（活性種を含む気体）を供給するためのものである。図３に示すように、上記オゾン供給ユニット（50）は、オゾン生成手段としての放電部（51）（活性種発生手段）と、該放電部（51）で生成されたオゾンガスを上記水タンク（41）内に導くための搬送路（55）を構成する搬送ダクト（63）と、該搬送ダクト（63）を介してオゾンガスを水タンク（41）内に圧送するための加圧ポンプ（64）とを備えている。なお、上記図３では、水タンク（41）の上側を覆う蓋部材（46）を省略している。
【００４２】
上記放電部（51）は、放電部ケーシング（62）のオゾンガス生成室内に配設されていて、ストリーマ放電によってオゾンガスを生成するように構成されている。具体的には、上記放電部（51）は、棒状電極（52）と平板電極（53）とを備えている。この棒状電極（52）は、上記オゾンガス生成室内に配設された基板（52a）に支持板（52b）を介して支持されている。上記平板電極（53）は、平板状に形成されていて、上記棒状電極（52）に対して平行になるように配置されている。
【００４３】
上記棒状電極（52）は、電源（18）の正極側に接続され、上記平板電極（53）は該電源（18）の負極側（またはアース側）に接続されている。この電源（18）から両電極（52,53）に電位差が付与されると、上記棒状電極（52）の先端から平板電極（53）に向かってストリーマ放電が生起する。その結果、両電極（52,53）間を流れた酸素分子が解離し、他の酸素分子と再結合することによってオゾンガスが発生する。なお、上記電源（18）から放電部（51）に対しては、直流の高圧電圧が供給されることが好ましく、さらには放電電流が一定となるような、いわゆる定電流制御を行うのが好ましい。
【００４４】
上記放電部ケーシング（62）には、その内部のオゾンガス生成室内に空気を導入するための導入管（61）と、上記搬送ダクト（63）とが接続されている。これにより、該導入管（61）から導入される空気を用いて上記両電極（52,53）間でオゾンガスを発生し、このオゾンガスを搬送ダクト（63）を介して水タンク（41）内に供給することができる。
【００４５】
上記導入管（61）は、その流入端が上記空気通路（14）に開口している。すなわち、この導入管（61）には、上記空気通路（14）を流れる空気の一部が分岐して導入される。上記搬送ダクト（63）は、その下流側端部（63a）が水タンク（41）内の水中に浸漬されるように、該下流側端部（63a）が水タンク（41）内の液面（WL）よりも下方に位置するような長さに形成されている。また、詳しくは後述するように、上記搬送ダクト（63）は、水タンク（41）の外側と内側とで分割されている（図３はオゾン供給ユニットの概略構成を示す模式図のため、分割構造の記載は省略している）。
【００４６】
このように、水タンク(41）内に貯留された貯留水の中に、上記搬送ダクト（63）の下流側端部(63a）を浸漬した状態で、オゾンガスを供給することにより、該水タンク（41）内の貯留水をオゾンガスによって浄化することができる。
【００４７】
〈搬送ダクトの構成〉
図４に、ケーシング（11）内の水タンク（41）と搬送ダクト（63）との関係を模式的に示す。また、図５に、搬送ダクト（63）の分割部分を拡大して示す。
【００４８】
上記搬送ダクト（63）は、上記図４及び図５に示すように、水タンク（41）の外側及び内側で分離可能に構成されている。すなわち、上記搬送ダクト（63）は、上記放電部ケーシング（62）に上端部で接続される上部搬送ダクト（71）と、上記上部搬送ダクト（71）の下端部に接続可能なように上記水タンク（41）の蓋部材（46）に設けられた下部搬送ダクト（72）とを備えている。そして、上記上部搬送ダクト（71）によって上記搬送路（55）の上部搬送路（55a）が、上記下部搬送ダクト（72）によって上記搬送路（55）の下部搬送路（55b）が、それぞれ構成されている。
【００４９】
上記上部搬送ダクト（71）及び下部搬送ダクト（72）は、上記水タンク（41）のスライド方向に対して交差する方向（図４では直交する方向）に開口するように設けられている。すなわち、上記上部搬送ダクト（71）は下方に向かって開口するように配置されている一方、上記下部搬送ダクト（72）は上方に向かって開口するように配置されている。
【００５０】
また、上記上部搬送ダクト（71）の下端部（71a）及び下部搬送ダクト（72）の上端部（72a）は、例えばゴムなどの弾性材料によって形成されている。上記下部搬送ダクト（72）の上端部（72a）には、その上端面に、上記上部搬送ダクト（71）の下端部に対して外嵌合可能な係合凹部（72b）が形成されている。すなわち、上記上部搬送ダクト（71）及び下部搬送ダクト（72）は、側面視で下端部（71a）の下端及び上端部（72a）の上端が重なるように構成されている。
【００５１】
さらに、上記上部搬送ダクト（71）は、その下端部（71a）が上記水タンク（41）のスライド移動を阻害しないように、該下端部（71a）の下面が水タンク（41）の蓋部材（46）の上面よりも上方に位置するよう構成されている。一方、上記下部搬送ダクト（72）は、上端部（72a）が上記上部搬送ダクト（71）の下端部（71a）と係合可能なように、該上端部（72a）の上面が上記蓋部材（46）よりも上方に位置するよう構成されている。
【００５２】
これにより、上記水タンク（41）をケーシング（11）からスライド移動させて引き出す場合、搬送ダクト（63）は、上記上部搬送ダクト（71）と下部搬送ダクト（72）とに分離されるため、該搬送ダクト（63）が水タンク（41）のスライド移動を阻害するのを防止できる。
【００５３】
また、上記水タンク（41）を調湿装置（10）のケーシング（11）に対して取付位置までスライド移動させた場合（図５（Ａ））、上記上部搬送ダクト（71）の下端部（71a）及び上記下部搬送ダクト（72）の上端部（72a）は、それぞれ弾性変形を生じて、該上部搬送ダクト（71）の下端部（71a）が下部搬送ダクト（72）の上端部（72a）に形成された係合凹部（72b）内に係合される（図５（Ｂ））。したがって、上記水タンク（41）のスライド移動に伴って上記上部搬送ダクト（71）と下部搬送ダクト（72）とを確実に接続することができる。なお、上記水タンク（41）の取付位置とは、両ダクト（71,72）が接続されるような水タンク（41）の位置を意味する。
【００５４】
さらに、上記下端部（71a）及び上端部（72a）は、それぞれ弾性部材によって構成されているため、両者の接続部分をシールすることができ、該接続部分からのオゾンガスの漏れを防止することができる。
【００５５】
なお、特に図示しないが、上記上部搬送ダクト（71）及び下部搬送ダクト（72）の少なくとも一方に、逆止弁を設けたり、多孔質体や繊維部材など抵抗となるものを設けたりしてもよい。これにより、上記水タンク（41）内の水が上記上部搬送ダクト（71）や下部搬送ダクト（72）内を上昇して該水タンク（41）外へ漏れるのを防止することができる。
【００５６】
−運転動作−
上記調湿装置（10）は、室内空気を浄化するとともに室内空気を加湿する加湿運転を行う。また、上記調湿装置（10）は、この加湿運転と同時に、水タンク（41）内の貯留水を浄化する水浄化動作を行う。なお、この水浄化動作は、加湿運転と同時ではなく、加湿運転を行っていないときに行うようにしてもよい。
【００５７】
〈加湿運転〉
加湿運転では、遠心ファン（15）が駆動されるとともに、加湿ロータ（43）が駆動モータ（44）によって回転駆動される。また、空気浄化手段（20）のイオン化部（22）の電極に電圧が印加されるとともに、加湿ロータ（43）の空気上流側に位置するヒータ（48）は通電状態となる。
【００５８】
上記遠心ファン（15）が駆動されると、図２に白抜き矢印で示すように、室内の空気が吸込口（12）からケーシング（11）内の空気通路（14）に導入される。この空気通路（14）内に導入された空気は、プレフィルタ（21）を通過して該プレフィルタ（21）で塵埃が捕捉された後、イオン化部（22）を通過する。このイオン化部（22）では、電極間でコロナ放電が行われており、これにより、空気中の塵埃が帯電される。上記イオン化部（22）を通過した空気は、プリーツフィルタ（23）を通過する。このプリーツフィルタ（23）では、上記イオン化部（22）で帯電した塵埃が電気的に誘引されて捕捉される。上記プリーツフィルタ（23）を通過した空気は、ヒータ（48）で加熱された後、加湿ロータ（43）を通過する。
【００５９】
加湿ユニット（40）では、水車（42）が回転し、水タンク（41）内の加湿水が加湿ロータ（43）の吸着部材（43b）に適宜供給される。具体的には、水車（42）が回転して該水車（42）の凹部（42b）が水タンク（41）内の加湿水中に浸漬することにより、凹部（42b）内に加湿水が浸入し、該凹部（42b）内に保持される。上記水車（42）がさらに回転すると、加湿水を保持した状態の上記凹部（42b）は、加湿水中から引き上げられて上方へ変位する。そして、上述のように、上記水車（42）の回転に伴って上記凹部（42b）が上方へ移動すると、該凹部（42b）は加湿ロータ（43）に徐々に近接するとともに、該凹部（42b）内に保持されている加湿水は自重によって徐々に該凹部（42b）から流出する。これにより、上記凹部（42b）内の加湿水は、上記加湿ロータ（43）の吸着部材（43b）に吸着される。このような動作によって、加湿ユニット（40）において、加湿ロータ（43）に連続的に加湿水が供給される。
【００６０】
なお、上記凹部（42b）は、上記水車（42）の回転によって最上端位置まで到達すると、該凹部（42b）内の加湿水が概ね全量流出するように構成されている。
【００６１】
上述のように加湿水の吸着された加湿ロータ（43）の吸着部材（43b）に対し、空気通路（14）内を流れる空気が通過すると、該吸着部材（43b）に吸着していた水分が空気中へ放出される。その結果、空気の加湿が行われる。
【００６２】
以上のようにして清浄化され且つ加湿された空気は、吹出口（13）から室内へ供給される。なお、この加湿運転では、電源からイオン化部（22）への電圧の供給を停止することで、空気の浄化を積極的に行わない運転も可能である。
【００６３】
〈加湿水の浄化動作〉
上記水タンク（41）内に加湿水が長時間に亘って貯留されていると、水中でカビや雑菌等が繁殖することにより、該水タンク（41）内の加湿水が汚染される場合がある。また、例えば空気通路（14）内を流れる空気中にアンモニア等の物質（有害物質や臭気物質）が含まれている場合、この物質が水中に溶解して上記水タンク（41）内の加湿水が汚染されることもある。そして、このように汚染された加湿水が気化されて室内へ供給されると、室内に雑菌や有害物質等も供給することになり、室内の清浄度を損なう虞がある。
【００６４】
本実施形態に係る調湿装置（10）では、オゾンガスを発生可能なオゾン供給ユニット（50）を用いて、上記水タンク（41）内にオゾンガスを供給することにより、該水タンク（41）内の加湿水を浄化する水浄化動作が可能に構成されている。
【００６５】
具体的には、水浄化動作が始まると、加圧ポンプ（64）が稼働するとともに、電源（18）から放電部（51）に電圧が印加される。上記加圧ポンプ（64）が稼働すると、導入管（61）を介して放電部ケーシング（62）内のオゾンガス生成室に空気が導入される（図３の白抜き矢印参照）。また、上記放電部（51）に電圧が印加されると、該放電部（51）ではストリーマ放電が生起される。このストリーマ放電によって上記放電部ケーシング（62）内ではオゾンガスが発生する。そして、発生したオゾンガスは上記加圧ポンプ（64）によって搬送ダクト（63）内の搬送路（55）を水タンク（41）に向かって搬送され、該水タンク（41）に貯留された加湿水中に放出される。
【００６６】
このように、水タンク（41）内の加湿水中にオゾンガスを放出する（バブリングする）ことで、該オゾンガスによって加湿水中に含まれる雑菌や有害物質等が分解除去され、上記水タンク（41）内の加湿水が浄化される。
【００６７】
−水タンクの脱着動作−
上述のように、水タンク（41）内に貯留された水は加湿に利用されるため、加湿運転を行うことにより、該水タンク（41）内の貯留水は徐々に減少する。したがって、水タンク（41）に、加湿水を適宜補充する必要があり、そのために、本実施形態に係る調湿装置（10）では、ケーシング（11）内に収納されている水タンク（41）をスライド移動可能な構成にしている。
【００６８】
しかしながら、このような構成では、水タンク（41）をスライド移動させる際に、該水タンク（41）の加湿水に先端部分が浸漬されているオゾンガスの搬送ダクト（63）が水タンク（41）と干渉し、該水タンク（41）のスライド移動を妨げる虞がある。
【００６９】
これに対し、本実施形態に係る調湿装置（10）では、上記水タンク（41）内に先端部分が浸漬されるオゾンガスの搬送ダクト（63）を、該水タンク（41）の外側に位置する上部搬送ダクト（71）と、該水タンク（41）の内側に位置する下部搬送ダクト（72）とによって構成し、水タンク（41）をスライドさせて引き出す際に、該水タンク（41）の内外で分割可能とした。
【００７０】
具体的には、上記水タンク（41）をケーシング（11）から引き出す際には、該水タンク（41）の内側に位置する下部搬送ダクト（72）が上部搬送ダクト（71）に対して、スライド方向に分離する。一方、上記水タンク（41）をケーシング（11）内の取付位置までスライド移動させる場合には、該水タンク（41）側に設けられた下部搬送ダクト（72）の上端部（72a）が上部搬送ダンク（71）の下端部（71a）に近づく。そして、上記水タンク（41）が取付位置に位置付けられると、上記上部搬送ダクト（71）の下端部（71a）と上記下部搬送ダクト（72）の上端部（72a）とが接続される。このとき、上記上部搬送ダクト（71）の上端部（71a）及び上記下部搬送ダクト（72）の上端部（72a）をそれぞれ弾性部材によって構成することで、両者の接続をスムーズに行うことが可能となる。
【００７１】
−実施形態の効果−
以上より、この実施形態によれば、水タンク（41）内に貯留された加湿水を浄化するために、該加湿水にオゾンガスを搬送するための搬送路（55）を構成する搬送ダクト（63）を、該水タンク（41）の外側と内側とで分けることにより、該水タンク（41）をケーシング（11）に対してスライド移動させる際に上記搬送ダクト（63）が水タンク（41）のスライド移動を妨げるのを防止できる。すなわち、上記水タンク（41）をケーシング（11）から引き出す際には、上記搬送ダクト（63）が該水タンク（41）外の上部搬送ダクト（71）と該水タンク（41）内の下部搬送ダクト（72）とに分離されるため、該搬送ダクト（63）が水タンク（41）と干渉して該水タンク（41）のスライド移動を妨げることがない。
【００７２】
また、上記水タンク（41）をケーシング（11）内の取付位置に位置付けた場合には、上記上部搬送ダクト（71）と下部搬送ダクト（72）とが接続されるため、これらのダクト（71,72）によってオゾンガスを搬送する搬送路（55）を構成することができ、上記水タンク（41）内に貯留された加湿水をオゾンガスのバブリングによって確実に浄化することができる。
【００７３】
また、上記上部搬送ダクト（71）の下端部（71a）の下面を、上記水タンク（41）の蓋部材（46）の上面よりも上方に位置付けることで、該上部搬送ダクト（71）の下端部（71a）が水タンク（41）と干渉して該水タンク（41）のスライド移動を阻害するのを確実に防止することができる。
【００７４】
さらに、上記上部搬送ダクト（71）の下端部（71a）及び上記下部搬送ダクト（72）の上端部（72a）を、それぞれ弾性部材によって構成することで、両ダクト（71,72）が接続する際に、上記下端部（71a）及び上端部（72a）の弾性変形によってスムーズに接続することができるとともに、接続部分のシール性の向上を図れる。
【００７５】
−実施形態の変形例１−
この変形例１は、図６及び図７に示すように、水タンク（81）の側面付近で搬送ダクト（85）を分離可能に構成した点が上記実施形態とは異なる。
【００７６】
具体的には、水タンク（81）は、上記実施形態と同様、ケーシング（11）に対してスライド移動可能に構成されていて、上方に開口した箱部材（82）と該箱部材（83）の上側を覆う蓋部材（46）とからなる。そして、この変形例１に係る調湿装置（10'）は、上記水タンク（81）の箱部材（82）におけるスライド方向奥側の側面で、上記搬送ダクト（85）を構成する上部搬送ダクト（86）と下部搬送ダクト（87）とが接続されるように構成されている。具体的には、上記水タンク（81）のスライド方向奥側の側面は、上記図６に示すように、下部よりも上部が水タンク（81）内方に位置付けられるように構成されていて、該上部で上記上部搬送ダクト（86）と下部搬送ダクト（87）とが接続されている。なお、上記水タンク（81）のスライド方向奥側の側面は、平面であってもよい。
【００７７】
上記上部搬送ダクト（86）は、上記実施形態と同様、上端部でオゾン供給ユニット（50）の放電部ケーシング（62）に接続され、下方に向かって延びるように形成されている。そして、上記上部搬送ダクト（86）の下端部（86a）は、上記水タンク（81）のスライド方向（水平方向）に折曲されている。
【００７８】
上記下部搬送ダクト（87）は、上部が上記水タンク（81）のスライド方向に延びて下部が上下方向に延びるように屈曲形成されていて、上端部（87a）は上記上部搬送ダクト（86）の下端部（86a）に接続される一方、下端部は上記水タンク（81）内の加湿水の液面（WL）よりも下方に位置し該加湿水中に浸漬されている。
【００７９】
上記下部搬送ダクト（87）の上端部（87a）は、略有底円筒状に形成されていて、上記上部搬送ダクト（86）の下端部（86a）に外嵌合可能に構成されている。
【００８０】
以上の構成により、上記水タンク（81）をケーシング（11）に対して引き出す方向にスライド移動させると、該水タンク（81）の外側に位置する上部搬送ダクト（86）と、該水タンク（81）の内側に位置する下部搬送ダクト（87）とが分離する。一方、上記水タンク（81）をケーシング（11）に対して挿入する方向にスライド移動させると、上記上部搬送ダクト（86）の下端部（86a）に対して、上記下部搬送ダクト（87）の上端部（87a）が近づき、上記水タンク（81）が取付位置に位置付けられると、上記下部搬送ダクト（87）の上端部（87a）が上記上部搬送ダクト（86）の下端部（86a）に外嵌合される。
【００８１】
このとき、上記水タンク（81）は、上記下部搬送ダクト（87）の上端部（87a）及び上記上部搬送ダクト（86）の下端部（86a）の軸心に沿ってスライド移動するため、該水タンク（81）を正確に取付位置に位置付けなくても、上記上部搬送ダクト（86）と下部搬送ダクト（87）とを確実に接続することができる。
【００８２】
しかも、上述のように、上記上部搬送ダクト（86）の下端部（86a）と下部搬送ダクト（87）の上端部（87a）とは、軸心に沿って移動して嵌合するため、上記実施形態の構成のように上記下端部（86a）や上端部（87a）を弾性変形させることなく容易に接続することができる。
【００８３】
−実施形態の変形例２−
この変形例２は、図８に示すように、オゾンガスを水タンク（91）内に供給するための搬送路（55）が該水タンク（91）に一体形成された点が上記実施形態とは異なる。
【００８４】
具体的には、上記水タンク（91）を構成する箱部材（92）の内側には、内方に向かって膨出する膨出部（91a）が一体形成されている。この膨出部（91a）は、上方に向かって開口する略直方体状の上記箱部材（92）の角部の内側に、該箱部材（92）の開口端から下方の所定範囲に亘って膨出するように形成されている。すなわち、上記膨出部（91a）は、その下端が上記水タンク（91）の底面から上方に離間するように形成されている。
【００８５】
上記膨出部（91a）には、上下方向に貫通する貫通穴（91b）が形成されている。この貫通穴（91b）は、上記搬送路（55）の一部を構成しており、該貫通穴（91b）の上端部には図示しない搬送通路が接続されるように構成されている。なお、この搬送通路は、上記搬送路（55）の一部を構成するもので、内部をオゾンガスが流通するように構成されている。
【００８６】
このように、上記水タンク（91）の内側に一体形成された膨出部（91a）に、オゾンガスの搬送路（55）の一部を構成する貫通穴（91b）を設けることで、該搬送路（55）の水タンク（91）側の部分を該水タンク（91）と一体形成することができ、ダクト等を別途、組み付ける作業が不要になる。これにより、部品点数の削減と組み付け作業の省略を図ることができ、コスト低減を図れる。
【００８７】
なお、上記箱部材（92）の上側を蓋部材（図示省略）で覆う場合には、該蓋部材にも上記貫通穴（91b）に対応する穴部を設ければ、該貫通穴（91b）内にオゾンガスを供給することができる。
【００８８】
また、この変形例２では、上記水タンク（91）の内側に膨出部（91a）を一体形成し、該膨出部（91a）に貫通穴（91b）を形成しているが、この限りではなく、上記膨出部（91a）を設けずに、該水タンク（91）の側壁内に貫通穴（91b）を形成してもよい。
【００８９】
《その他の実施形態》
上記実施形態については、以下のような構成としてもよい。
【００９０】
上記実施形態では、オゾンガスを発生させて、水タンク（41）内に供給するようにしているが、この限りではなく、活性種となるガスであれば、どのような種類のものであってもよい。
【００９１】
また、上記実施形態では、オゾン供給ユニット（50）内でストリーマ放電によってオゾンガスを発生させているが、この限りではなく、オゾンガスを発生できる構成であれば、どのような構成であってもよい。
【００９２】
さらに、上記実施形態では、調湿装置（10）が加湿運転を行うように構成されているが、この限りではなく、除湿運転を行うように構成されていてもよい。このように除湿運転を行う場合、除湿によって集めた水を水タンク（41）内に貯留するように構成することで、該水タンク（41）内に加湿水を補充する量や頻度を低減することができる。
【００９３】
また、上記実施形態では、水タンク（41）は箱部材（45）の上側が蓋部材（46）によって覆われているが、この限りではなく、蓋部材（46）によって箱部材（45）の上側を覆わない構成であってもよい。
【産業上の利用可能性】
【００９４】
以上説明したように、本発明は、水を貯留するための水タンクを備えていて、該水タンクを利用して空間内の湿度を調整するように構成された調湿装置に特に有用である。
【図面の簡単な説明】
【００９５】
【図１】図１は、本発明の実施形態に係る調湿装置の構成（水タンク及び加湿ロータを引き出した状態）を示す斜視図である。
【図２】図２は、調湿装置の内部の概略構成を側方から見た断面図である。
【図３】図３は、オゾン供給ユニットによってオゾンガスを水タンク内に供給する様子を模式的に示す図である。
【図４】図４は、調湿装置内の水タンクと搬送ダクトとの関係を示す図である。
【図５】図５は、上部搬送ダクトと下部搬送ダクトとの接続部分の概略構造を示す図である。
【図６】図６は、変形例１に係る調湿装置の図４相当図である。
【図７】図７は、変形例１に係る調湿装置の図５相当図である。
【図８】図８は、変形例２に係る調湿装置の水タンクの箱部材を示す斜視図である。
【符号の説明】
【００９６】
10,10'  調湿装置
11      ケーシング
40      加湿ユニット（加湿機構）
41,81   水タンク（容器）
51      放電部（活性種発生手段）
55      搬送路
55a     上部搬送路（容器外通路）
55b     下部搬送路（容器内通路）
71      上部搬送ダクト（管部材）
71a     下端部（接続部分）
72      下部搬送ダクト（管部材）
72a     上端部（接続部分）
91      水タンク（容器）
91a     膨出部
91b     貫通穴
【図１】
2009216331.tif 000003
【図２】
2009216331.tif 000004
【図３】
2009216331.tif 000005
【図４】
2009216331.tif 000006
【図５】
2009216331.tif 000007
【図６】
2009216331.tif 000008
【図７】
2009216331.tif 000009
【図８】
2009216331.tif 000010